(57)【要約】【課題】放熱性のよい機能モジュール１を提供する。【解決手段】本開示に係る機能モジュール１は、機能ハウジング３と操作ハウジング２とを備える。機能ハウジング３は、厚み方向の両面に第１面３１及び第２面３２を有する。機能ハウジング３は、第１面３１を光出射面とする照明部３３１を有する。操作ハウジング２は、照明部３３１を操作する操作部２３を有する。操作ハウジング２は所定方向Ｓの一端部に第１支持部６１を有する。機能ハウジング３は、第１支持部６１にて、所定方向Ｓと交差する方向に沿った第１回転軸Ｘ周りに回転可能な状態で、操作ハウジング２に支持されている。機能ハウジング３は、第１回転軸Ｘ周りで回転することで、閉位置と開位置との間を移動する。機能ハウジング３における第２面３２には、照明部３３１と熱的に結合される放熱部３４が形成されている。【選択図】図１
2020126831.tif 000002
【特許請求の範囲】
【請求項１】
厚み方向の両面に第１面及び第２面を有し、前記第１面を光出射面とする照明部を有する機能ハウジングと、
前記照明部を操作する操作部を有する操作ハウジングと、を備え、
前記操作ハウジングは所定方向の一端部に第１支持部を有し、
前記機能ハウジングは、前記第１支持部にて、前記所定方向と交差する方向に沿った第１回転軸周りに回転可能な状態で、前記操作ハウジングに支持されており、
前記機能ハウジングは、前記第１回転軸周りで回転することで、閉位置と開位置との間を移動し、
前記機能ハウジングにおける前記第２面には、前記照明部と熱的に結合される放熱部が形成されている、
機能モジュール。
【請求項２】
前記機能ハウジングは、前記第１回転軸と交差する第２回転軸周りに回転可能に設けられている、
請求項１に記載の機能モジュール。
【請求項３】
前記操作ハウジングの特定面に、電池パックが露出した状態で取り外し可能に取り付けられる、
請求項１又は２に記載の機能モジュール。
【請求項４】
前記機能ハウジングが前記閉位置にある状態で、平面視における前記機能ハウジングの投影面内に操作ハウジングが収まる、
請求項１〜３のいずれか１項に記載の機能モジュール。
【請求項５】
前記放熱部は、前記第２面に形成された凹凸形状を含んでいる、
請求項１〜４のいずれか１項に記載の機能モジュール。
【請求項６】
前記凹凸形状は、前記第１回転軸と直交する方向に延びる直線状を含んでいる、
請求項５に記載の機能モジュール。
【請求項７】
前記機能ハウジングが前記閉位置にある状態で、前記放熱部と前記操作ハウジングとの間に隙間がある、
請求項１〜６のいずれか１項に記載の機能モジュール。
【請求項８】
前記機能ハウジングが前記閉位置にある状態で、前記放熱部と前記操作ハウジングとの間に弾性体がある、
請求項１〜７のいずれか１項に記載の機能モジュール。
【請求項９】
前記操作ハウジングにおける前記電池パックとは反対側の面上に前記操作部がある、
請求項３に記載の機能モジュール。
【請求項１０】
前記操作部は、前記操作ハウジングにおける前記電池パックとは反対側の面上に形成された凹所に設けられている、
請求項９に記載の機能モジュール。
【請求項１１】
前記電池パックは、電動工具に用いられる電池パックである、
請求項３に記載の機能モジュール。
【発明の詳細な説明】
【技術分野】
【０００１】
本開示は、一般に機能モジュールに関し、より詳細には、照明又はスピーカの機能部を備えた機能ハウジングを備える機能モジュールに関する。
【背景技術】
【０００２】
特許文献１には、照明装置が記載されている。この照明装置において、複数のヒンジ装置は、複数の光源ユニットの各々を第１軸周りにおいて第１位置と第２位置との間で回転可能となるように、複数の光源ユニットをベースに連結している。またベースには、光源ユニットに給電するための電池パックが着脱自在に装着されている。
【先行技術文献】
【特許文献】
【０００３】
【特許文献１】特開２０１８−０３７２３８号公報
【発明の概要】
【発明が解決しようとする課題】
【０００４】
特許文献１に記載されているような照明装置では、光源ユニットの放熱性がよいものが求められている。
【０００５】
本開示の目的は、放熱性のよい機能モジュールを提供することにある。
【課題を解決するための手段】
【０００６】
本開示の一態様に係る機能モジュールは、機能ハウジングと操作ハウジングとを備える。前記機能ハウジングは、厚み方向の両面に第１面及び第２面を有し、前記第１面を光出射面とする照明部を有する。前記操作ハウジングは、前記照明部を操作する操作部を有する。前記操作ハウジングは所定方向の一端部に第１支持部を有する。前記機能ハウジングは、前記第１支持部にて、前記所定方向と交差する方向に沿った第１回転軸周りに回転可能な状態で、前記操作ハウジングに支持されている。前記機能ハウジングは、前記第１回転軸周りで回転することで、閉位置と開位置との間を移動する。前記機能ハウジングにおける前記第２面には、前記照明部と熱的に結合される放熱部が形成されている。
【発明の効果】
【０００７】
本開示によれば、放熱性のよい機能モジュールを提供することができる、という利点がある。
【図面の簡単な説明】
【０００８】
【図１】図１は、本開示に係る機能モジュールの一実施形態（実施形態１）を示す斜視図である。
【図２】図２は、同上の機能モジュールの一実施形態を示す斜視図である。
【図３】図３は、同上の機能モジュールの一実施形態を示す斜視図である。
【図４】図４は、同上の機能モジュールの一実施形態を示す平面図である。
【図５】図５は、同上の機能モジュールの一実施形態を示す側面図である。
【図６】図６は、同上の機能モジュールの一実施形態を示す正面図である。
【図７】図７は、同上の機能モジュールの一実施形態を示す底面図である。
【図８】図８は、同上の機能モジュールの一実施形態を示す斜視図である。
【図９】図９は、同上の機能モジュールの一実施形態を示す斜視図である。
【図１０】図１０は、同上の機能モジュールの一実施形態を示す平面図である。
【発明を実施するための形態】
【０００９】
（実施形態１）
以下では、本実施形態に係る機能モジュール１について図１〜１０に基づいて説明する。
【００１０】
図１に示すように、本実施形態に係る機能モジュール１は、機能ハウジング３と操作ハウジング２とを備えている。図１に示す機能モジュール１には、電池パック４が取付けられている。さらに本実施形態に係る機能モジュール１は、取っ手５を備えている。本実施形態に係る機能モジュール１は、各種の携帯性及び可搬性を有する機器を構成している。
【００１１】
機能ハウジング３は、機能モジュール１の主たる機能を発揮する機能部３３を有する。本実施形態において、機能部３３は照明部３３１である。したがって、本実施形態に係る機能モジュール１は照明装置である。機能ハウジング３は厚み方向に第１面３１と第２面３２の両面を有している。また機能ハウジング３は第１面３１を光出射面とする照明部３３１を有している。すなわち、照明部３３１は機能ハウジング３の厚み方向の両面のうちの片方の第１面３１を光出射面としており、照明部３３１は第１面３１から光を出射する。第１面３１及び第２面３２は矩形である。
【００１２】
照明部３３１は、光源ユニット３３２と透光板３３３とを備えている。光源ユニット３３２は、例えば、アルミニウム製などの金属基盤３３４と、複数のＬＥＤモジュール（ＬＥＤ：Light Emitting Diode）３３５とを有している。光源ユニット３３２は電池パック４からの給電により発光する。透光板３３３は光源ユニット３３２からの発光が透過するような透明性を有している。透光板３３３は、機能ハウジング３に第１面３１を構成するように取り付けられている。光源ユニット３３２は透光板３３３に対応する位置で機能ハウジング３に内蔵されている。
【００１３】
図２に示すように、機能ハウジング３における第２面３２には、照明部３３１と熱的に結合される放熱部３４が形成されている。すなわち、機能ハウジング３の厚み方向における第１面３１と反対側の第２面３２は、照明部３３１で生じる熱が伝わって放熱するための放熱部３４である。本実施形態に係る機能モジュール１は、照明部３３１の光源ユニット３３２で生じる熱を放熱部３４で放熱しやすくなって、光源ユニット３３２の熱的な劣化を低減することができる。照明部３３１と放熱部３４との熱的な結合には、照明部３３１と放熱部３４とが接触して結合する態様、照明部３３１と放熱部３４とがギャップを介して対向する態様、及び熱伝導性を有する部材が照明部３３１と放熱部３４との間に介在する態様を含む。
【００１４】
放熱部３４は、第２面３２に形成された凹凸形状３４０を含んでいる。すなわち、放熱部３４は第２面３２に形成された凹部３４１と凸部３４２とを有する凹凸形状３４０を含んでいる。凹部３４１は機能ハウジング３の厚み方向において凸部３４２よりも凹んでいる。つまり、凸部３４２は機能ハウジング３の厚み方向において凹部３４１よりも突出している。放熱部３４が第２面３２に形成された凹凸形状を含んでいると、凹凸形状を含んでいない場合に比べて、放熱部３４の表面積を大きくすることができ、放熱部３４の放熱性を向上させることができる。また放熱部３４は、複数の凹部３４１及び複数の凸部３４２を含んでいることが好ましい。複数の凹部３４１及び複数の凸部３４２を含んでいる放熱部３４では、単数の凹部３４１及び単数の凸部３４２の場合に比べて、放熱部３４の表面積を大きくすることができ、放熱部３４の放熱性を向上させることができる。
【００１５】
凹凸形状３４０は、第１回転軸Ｘと直交する方向に延びる直線状を含んでいる。すなわち、放熱部３４は、第１回転軸Ｘと直交する方向に延びる直線状の凹凸形状３４０を含んでいる。機能ハウジング３は、後述のように、第１回転軸Ｘ周りで回転することで、閉位置と開位置との間を移動するが、凹凸形状３４０は、第１回転軸Ｘに対して直交する方向に延びる凹部３４１及び凸部３４２を有する。凹凸形状３４０は、第２面３２に形成されているため、凹凸形状３４０により機能ハウジング３の第２面３２を補強することができる。したがって、機能ハウジング３の強度を向上させることができる。しかも、凹凸形状３４０は、第１回転軸Ｘに対して直交する方向に延びているため、機能ハウジング３を第１回転軸Ｘ周りに回転させる際に、機能ハウジング３に係る力を機能ハウジング３の回転方向と直交する方向に分散しやすくなる。したがって、凹凸形状３４０による機能ハウジング３の補強効果を向上させることができる。
【００１６】
操作ハウジング２は、機能部３３を操作する操作部２３を有している。本実施形態に係る機能モジュール１は、機能部３３が照明部３３１であるため、操作部２３で照明部３３１を操作する。例えば、操作部２３を操作することにより、照明部３３１を点灯、消灯及び調光することができる。操作ハウジング２には、光源ユニットを点灯させる点灯回路と、点灯回路を制御する制御部とを含む回路ユニットが内蔵されている。
【００１７】
操作ハウジング２における電池パック４とは反対側の面上に操作部２３がある。すなわち、操作部２３は、操作ハウジング２の電池パック４が取り付けられる特定面２４とは反対側の面上に露出して設けられている。後述のように、特定面２４は、操作ハウジング２の厚み方向における第１面２１である。したがって、操作部２３は、操作ハウジング２の厚み方向における第２面２２にある。つまり、操作部２３は、機能ハウジング３が閉位置にある状態で、機能ハウジング３の第２面３２と対向する操作ハウジング２の第２面２２に設けられている。したがって、機能ハウジング３が閉位置にある状態では、操作部２３は操作ハウジング２に覆われているため操作しにくいが、機能ハウジング３が開位置にある状態では、操作部２３は操作ハウジング２に覆われていないため、操作しやすい。なお、「閉位置」及び「開位置」については、後述する。
【００１８】
操作部２３としては、例えば、押し釦及びタッチパネルが挙げられる。
【００１９】
操作部２３は、操作ハウジング２における電池パック４とは反対側の面上に形成された凹所２３１に設けられている。すなわち、操作部２３は、操作ハウジング２の第２面２２に形成された凹所２３１内に設けられている。操作部２３は凹所２３１内で露出している。凹所２３１は第２面２２の凹所２３１以外の部分よりも凹んでいる。そのため、第２面２２の凹所２３１以外の部分に操作部２３を設ける場合に比べて、操作部２３には接触しにくくなる。したがって、操作部２３は不用意に操作されにくくなり、例えば、機能ハウジング３を第１回転軸Ｘ周りで回転させる際に、操作部２３の誤操作が少なくなる。
【００２０】
操作ハウジング２は、所定方向Ｓの一端部に第１支持部６１を有している。言い換えると、操作ハウジング２の厚み方向と交差する方向のうちの１つ方向を所定方向Ｓとし、この所定方向Ｓにおける操作ハウジング２の端部に第１支持部６１が有る。第１支持部６１は複数（例えば、２つ）の連結部６１１を有している。複数の連結部６１１は操作ハウジング２の一端部に突出している。また複数の連結部６１１は操作ハウジング２の一端部において、第１回転軸Ｘに沿った方向に並んでいる。したがって、複数の連結部６１１は操作ハウジング２の一端部において、第１回転軸Ｘに沿った方向で対向している。
【００２１】
機能ハウジング３は、第１支持部６１にて、所定方向Ｓと交差する方向に沿った第１回転軸Ｘ周りに回転可能な状態で、操作ハウジング２に支持されている。すなわち、操作ハウジング２が有する第１支持部６１は機能ハウジング３を支持し、機能ハウジング３は所定方向Ｓと交差する方向に沿った第１回転軸Ｘ周りに回転可能な状態となっている。
【００２２】
機能ハウジング３は第２支持部６２を介して操作ハウジング２に支持されている。すなわち、第２支持部６２は第１支持部６１に取り付けられ、操作ハウジング２は第２支持部６２に取り付けられている。第２支持部６２は第１支持部６１に対して第１回転軸Ｘ周りに回転可能に取り付けられている。したがって、第２支持部６２が第１支持部６１に対して第１回転軸Ｘ周りに回転すると、これに伴って、機能ハウジング３も第２支持部６２と一緒に第１支持部６１に対して第１回転軸Ｘ周りに回転する。
【００２３】
第２支持部６２は、第１支持部６１に取り付けられる軸部６２１と、機能ハウジング３が取り付けられる台座部６２２とを有している。軸部６２１は第１回転軸Ｘに沿った方向に長い円筒状に形成されている。軸部６２１は台座部６２２の一端に突出して設けられており、軸部６２１の台座部６２２からの突出方向と反対側において、台座部６２２に機能ハウジング３が取り付けられている。軸部６２１は対向する複数の連結部６１１の間に配置されている。また軸部６２１の両端は各連結部６１１と第１回転軸Ｘ周りに回転可能に連結される。すなわち、機能ハウジング３と操作ハウジング２とは、第１支持部６１と第２支持部６２を含むヒンジ機構により連結される。
【００２４】
機能ハウジング３は、第１回転軸Ｘ周りで回転することで、閉位置と開位置との間を移動する。すなわち、機能ハウジング３は、閉位置にある状態（図１参照）と、開位置にある状態（図２参照）との間で、第１回転軸Ｘ周りで回転可能である。ここで、「閉位置」とは、図１に示すように、機能ハウジング３と、操作ハウジング２とが、機能ハウジング３の厚み方向で重なる状態となる位置である。つまり、機能ハウジング３の第２面３２と、操作ハウジング２の第２面２２とが、機能ハウジング３の厚み方向で対向する状態となる位置である。すなわち、機能ハウジング３の厚み方向と、操作ハウジング２の厚み方向とが一致する状態で、機能ハウジング３が操作ハウジング２に対して閉位置にある状態となる。したがって、機能ハウジング３が第１回転軸Ｘ周りで回転して閉位置になると、第２面３２と第２面２２とが機能ハウジング３の厚み方向で対向する状態となる。また「開位置」とは、図２に示すように、機能ハウジング３と、操作ハウジング２とが、機能ハウジング３の厚み方向で重ならない状態となる位置である。つまり、機能ハウジング３の第２面３２と、操作ハウジング２の第２面２２とが、機能ハウジング３の厚み方向で対向していない状態となる位置である。すなわち、機能ハウジング３の厚み方向と、操作ハウジング２の厚み方向とが一致していない状態で、機能ハウジング３が操作ハウジング２に対して開位置にある状態となる。したがって、機能ハウジング３が第１回転軸Ｘ周りで回転して開位置にあると、第２面３２と第２面２２とが機能ハウジング３の厚み方向で対向していない状態となる。
【００２５】
本実施形態に係る機能モジュール１では、機能ハウジング３の第２面３２と、操作ハウジング２の第２面２２との間の角度が最大で２７０度になるように、機能ハウジング３の開位置が設定されている。本実施形態に係る機能モジュール１では、機能ハウジング３の開位置が段階的に複数設定されている。例えば、機能ハウジング３の開位置が、機能ハウジング３の第２面３２と、操作ハウジング２の第２面２２との間の角度が３６度、７２度、９０度、１２０度、１８０度及び２７０度となるように、段階的に開位置が設定されている。このように複数の開位置で機能ハウジング３が保持されるように、第１支持部６１に第２支持部が連結されている。複数の開位置で機能ハウジング３が保持されるように、第２支持部はノッチ構造などで第１支持部６１に連結されていることが好ましい。
【００２６】
本実施形態に係る機能モジュール１では、機能ハウジング３を第１回転軸Ｘ周りで回転することで、機能ハウジング３の向きを変えることができ、これに伴って、照明部３３１の向きも変えることができる。したがって、本実施形態に係る機能モジュール１では、第１回転軸Ｘ周りで照明部３３１の光照射面からの光照射方向を変えて、光で明るく照らす方向を変えることができる。
【００２７】
図３に示すように、機能ハウジング３は、第１回転軸Ｘと交差する第２回転軸Ｙ周りに回転可能な状態で、操作ハウジング２に支持されている。すなわち、操作ハウジング２は第１回転軸Ｘ周りに回転可能な状態で機能ハウジング３を支持しつつ、第２回転軸Ｙ周りにも回転可能な状態で、機能ハウジング３で支持している。したがって、機能ハウジング３は、操作ハウジング２に対して第１回転軸Ｘ周り及び第２回転軸Ｙ周りの両方に回転可能である。
【００２８】
第２回転軸Ｙは、第１支持部６１を介して操作ハウジング２に回転可能に取付けられた第２支持部６２に設けられている。すなわち、第２支持部６２が操作ハウジング２に形成された第１支持部６１に第１回転軸Ｘ周りに回転可能に取り付けられ、第２支持部６２が第２回転軸Ｙを有している。機能ハウジング３はその一端が台座部６２２に取り付けられることにより、第２支持部６２に支持されている。したがって、機能ハウジング３の一端が台座部６２２に第２回転軸Ｙ周りに回転可能に取り付けられている。本実施形態に係る機能モジュール１では、第２回転軸Ｙ周りで回転可能な機能ハウジング３の回転角度が段階的に複数設定されている。例えば、機能ハウジング３の機能部３３の向きが所定方向Ｓに対して、例えば、３６度、７２度、９０度、１２０度及び１８０度となるように、機能ハウジング３の回転角度が段階的に保持される。この場合、第１支持部６１と同様に、第２支持部６２にもノッチ機構が備えられている。
【００２９】
本実施形態に係る機能モジュール１では、機能ハウジング３を第２回転軸Ｙ周りで回転することで、機能ハウジング３の向きを変えることができ、これに伴って、照明部３３１の向きも変えることができる。したがって、本実施形態に係る機能モジュール１では、第２回転軸Ｙ周りで照明部３３１の光照射面からの光照射方向を変えて、光で明るく照らす方向を変えることができる。
【００３０】
図４に示すように、本実施形態に係る機能モジュール１は、機能ハウジング３が閉位置にある状態で、平面視における機能ハウジング３の矩形状の投影面Ｍ内に操作ハウジング２が収まる。すなわち、機能ハウジング３の厚み方向に、機能ハウジング３と操作ハウジング２とが重なった状態で、機能モジュール１を機能ハウジング３の第１面３１の方から見たときに、操作ハウジング２の第２面２２が機能ハウジング３の投影面Ｍの内側にある。したがって、機能ハウジング３が閉位置にある状態では、操作ハウジング２の第２面２２が機能ハウジング３で覆われて露出していない状態となる。
【００３１】
図５及び図６に示すように、本実施形態に係る機能モジュール１は、機能ハウジング３が閉位置にある状態で、放熱部３４と操作ハウジング２との間に隙間７がある。すなわち、放熱部３４と操作ハウジング２との間に隙間７ができるように、機能ハウジング３の厚み方向に、機能ハウジング３と操作ハウジング２とが重なった状態となる。放熱部３４が凹凸形状３４０を有する場合は、隙間７は、放熱部３４の凸部３４２の先端と操作ハウジング２の第２面との間に形成される。すなわち、隙間７は、放熱部３４を含む機能ハウジング３の第２面３２と、操作ハウジング２の第２面２２とが対向した状態で、第２面３２と第２面２２との間に存在している。
【００３２】
そして、機能ハウジング３が閉位置にある状態であっても、隙間７により、放熱部３４から操作ハウジング２の第２面２２に熱が伝わりにくくなる。したがって、隙間７を通じて機能モジュール１の外部に熱が放出されやすくなって、放熱部３４による放熱性が損なわれにくくなり、また操作ハウジング２や電池パック４への照明部３３１で生じる熱の影響を少なくすることができる。
【００３３】
本実施形態に係る機能モジュール１は、機能ハウジング３が閉位置にある状態で、放熱部３４と操作ハウジング２との間に弾性体８がある。すなわち、放熱部３４と操作ハウジング２との間に弾性体８がある状態で、機能ハウジング３の厚み方向に、機能ハウジング３と操作ハウジング２とが重なった状態となる。したがって、機能ハウジング３の第２面３２と操作ハウジング２の第２面２２とが、機能ハウジング３の厚み方向において対向した状態で、機能ハウジング３の第２面３２と操作ハウジング２の第２面２２との間に弾性体８が介在する。
【００３４】
弾性体８としてはゴム、エラストマー、プラスチック及びばねが使用される。機能ハウジング３の第２面３２には複数の保持部３２３が形成されている。各保持部３２３は、第２面３２の四隅に一つずつ設けられている。各保持部３２３は第２面３２から突出する円筒状に形成されている。そして、各保持部３２３の内側に弾性体８がはめ込まれており、これにより、複数の弾性体８が第２面３２に設けられる。弾性体８の先端面は放熱部３４の先端面よりもわずかに突出している。したがって、機能ハウジング３が閉位置にある状態では、弾性体８の先端面が放熱部３４の先端面よりも操作ハウジング２の第２面２２側に突出した状態となる。よって、上記のような放熱部３４と操作ハウジング２との間にできる隙間７は、弾性体８が放熱部３４と操作ハウジング２との間に存在することにより形成される。すなわち、弾性体８の先端面が放熱部３４の先端面よりも突出する寸法の隙間７が、放熱部３４と操作ハウジング２の第２面２２との間に形成されることになる。
【００３５】
本実施形態に係る機能モジュール１において、電池パック４は、電動工具に用いられる電池パックである。すなわち、電池パック４は、例えば、電動レンチ、電動ドライバ及び電動ドリルなどのモータを備える電動工具で使用される電池パックである。電池パック４は、例えば、ハウジング本体４２内において、複数のリチウムイオン電池が直列接続されたものが使用可能である。電池パック４の定格電圧は、１４Ｖ、１８Ｖなどである。
【００３６】
本実施形態に係る機能モジュール１では、操作ハウジング２の特定面２４に、電池パック４が露出した状態で取り外し可能に取り付けられる。すなわち、電池パック４は操作ハウジング２の特定面２４に取り外し可能に取り付けられ、特定面２４に取り付けられた状態では操作ハウジング２では全体が覆われず、露出している。特定面２４は、操作ハウジング２の第１面２１である。すなわち、特定面２４は操作ハウジング２の厚み方向における第２面２２と反対側の面である。本実施形態に係る機能モジュール１では、電池パック４を取り外した状態で持ち運ぶことができ、携帯性に優れる。
【００３７】
図７に示すように、特定面２４には電池パック４を装着する凹部２５が形成されている。凹部２５には、電池パック４のフックにそれぞれ引っ掛かるＬ字状の３つのフック２５１が設けられている。また、凹部２５には、電池パック４の通信用コネクタに接続可能な通信用コネクタ２５２と、電池パック４の接続端子に差し込み接続される２つの電源端子２５３と、を備える。
【００３８】
操作ハウジング２に電池パック４を装着するときには、例えば、電池パック４のフックと凹部２５のフック２５１とが干渉しないように電池パック４の一部を凹部２５に挿入する。その後、電池パック４を一方向にずらすことにより、凹部２５に電池パック４を装着することができる。凹部２５に電池パック４を装着したときには、電池パック４のフックが、凹部２５のフック２５１に引っ掛かっている。また、電池パック４のロック部が、電池パック４のフックに引っ掛かっているフック２５１をロックしたロック状態となる。
【００３９】
操作ハウジング２から電池パック４を取り外すときには、例えば、電池パック４に設けられているロック解除操作部４１を操作し、電池パック４を上記一方向とは反対側にずらしてから、電池パック４を凹部２５から離す向きに動かせばよい。
【００４０】
本実施形態に係る機能モジュール１では、機能ハウジング３が開位置にある状態で、機能ハウジング３、操作ハウジング２及び電池パック４の重心Ｇは電池パック４上にある。すなわち、機能ハウジング３と操作ハウジング２とが、機能ハウジング３の厚み方向で重ならない状態となる位置にあるとき、電池パック４上に、機能ハウジング３、操作ハウジング２及び電池パック４の重心Ｇがある。重心Ｇは、機能ハウジング３の開位置が、機能ハウジング３の第２面３２と、操作ハウジング２の第２面２２との間の最大の角度である場合にでも、電池パック４上にある。したがって、本実施形態に係る機能モジュール１が電池パック４を下にして置いた状態で使用する場合、多少の力が加わっても、倒れにくくして使用することができる。
【００４１】
また機能ハウジング３が閉位置にある状態でも、機能ハウジング３、操作ハウジング２及び電池パック４の重心Ｇは電池パック４上にある。すなわち、機能ハウジング３と操作ハウジング２とが、機能ハウジング３の厚み方向で重なっている状態となる位置にあるときも、電池パック４上に、機能ハウジング３、操作ハウジング２及び電池パック４の重心Ｇがある。すなわち、本実施形態に係る機能モジュール１は、機能ハウジング３が開状態及び閉位置のいずれの状態でも、電池パック４上に重心Ｇがある。
【００４２】
本実施形態に係る機能モジュール１は、電池パック４の電力を供給するための給電ポート９を更に備える。すなわち、本実施形態に係る機能モジュール１は、給電ポート９から電池パック４の電力を他の電気機器に供給することができる。給電ポート９は、例えば、ＵＳＢコネクタである。給電ポート９にケーブルを電気的に接続することにより、電力を他の電気機器に供給することができる。
【００４３】
給電ポート９は、操作ハウジング２の所定方向Ｓにおける第１支持部６１とは反対側の端面２６にある。すなわち、給電ポート９は、機能ハウジング３を支持する第２支持部６２と連結される第１支持部６１がない操作ハウジング２の端面２６に設けられている。第１支持部６１がない端面２６に給電ポート９を設けることにより、給電ポート９にケーブルを装着するとき及び給電ポート９からケーブルを外すときに、第１支持部６１が邪魔になりにくく、ケーブルの脱着が行いやすい。
【００４４】
給電ポート９は端面２６の表面に凹んで形成されており、不使用時には蓋９１で閉じられている。そして、使用時に蓋９１が開けられて給電ポート９内のコネクタを露出し、ケーブルを接続する。
【００４５】
図９及び図１０に示すように、本実施形態に係る機能モジュール１は、機能ハウジング３及び操作ハウジング２を引っ掛けて保持するための取っ手５を更に備える。すなわち、取っ手５を引っ掛けて機能ハウジング３及び操作ハウジング２を保持する。したがって、本実施形態に係る機能モジュール１は、電池パック４を下にして置いて使用するだけでなく、取っ手５を壁又は天井に引っ掛けて吊り下げて使用することができる。取っ手５は引っ掛けて使用するだけでなく、手に持ってもよい。取っ手５を手に持って携帯性及び可搬性を向上させることができる。また図９に示すように、取っ手５には吊り下げ用のフック５５が設けられている。
【００４６】
取っ手５は、複数（例えば、二つ）のアーム部５１と、各アーム部５１の一端の間に設けられた引掛け部５２とを有して、一端が開放された枠状に形成されている。各アーム部５１の先端（引掛け部５２と反対側の端部）には円筒状の接続部５３が設けられている。そして、各接続部５３が操作ハウジング２に形成された二つの第３支持部６３に回転可能に連結される。
【００４７】
取っ手５は、操作ハウジング２の第１支持部６１と反対側の端部にある第３支持部６３で回転可能に取付けられている。つまり、取っ手５は、第３支持部６３を通る第３回転軸Ｚ周りに回転可能に第３支持部６３に取付けられる。第１回転軸Ｘと第３回転軸Ｚとは平行である。また各第３支持部６３は、操作ハウジング２の第１支持部６１と反対側の端部、すなわち、端面２６側の端部において、操作ハウジング２の側面（第３回転軸Ｚに沿った方向で対向する側面）に突出して設けられている。
【００４８】
機能ハウジング３が閉位置にある状態で、取っ手５は、電池パック４と反対側を通して回転可能である。すなわち、機能ハウジング３と操作ハウジング２とが、機能ハウジング３の厚み方向で重なっている状態となる位置にあるとき、取っ手５は、機能ハウジング３と操作ハウジング２の方を回るようにして回転可能である。つまり、図１に示すように、機能ハウジング３が閉位置にある状態で、取っ手５を上方に向けて動かすように回転させると、取っ手５の引掛け部５２が機能ハウジング３の側（例えば、上方）を通過するように、取っ手５が回転する。そして、図８に示すような機能ハウジング３が閉位置にある状態で、取っ手５が所定方向Ｓの方に向かって突出する状態となる。
【００４９】
本実施形態に係る機能モジュール１は、機能ハウジング３が閉位置にある状態、すなわち、コンパクトな状態で、取っ手５を所定方向Ｓの方に突出させる状態と、所定方向Ｓと反対側の方に突出させる状態とを変えることができる。したがって、本実施形態に係る機能モジュール１は、使い勝手がよい。
【００５０】
（変形例）
実施形態１は、本開示の様々な実施形態の一つに過ぎない。実施形態１は、本開示の目的を達成できれば、設計等に応じて種々の変更が可能である。
【００５１】
照明部３３１は、ＬＥＤを使用した発光ユニットだけでなく、例えば、有機エレクトロルミネッセンス素子を使用した発光ユニットであってもよい。
【００５２】
透光板３３３はレンズを備えていてもよい。
【００５３】
電池パック４は、電動工具で使用されている各種の容量のものが使用可能である。
【００５４】
凹凸形状３４０は、直線状だけでなく、格子状や波状に形成されていてもよい。
【００５５】
第１支持部６１及び第２支持部６２だけでなく、第３支持部６３にもノッチ機構を備えることができ、この場合、取っ手５を所定の角度で回転させた状態に保持可能である。
【００５６】
（まとめ）
以上説明したように、第１の態様に係る機能モジュール（１）は、機能ハウジング（３）と操作ハウジング（２）とを備える。機能ハウジング（３）は、厚み方向の両面に第１面（３１）及び第２面（３２）を有する。機能ハウジング（３）は、第１面（３１）を光出射面とする照明部（３３１）を有する。操作ハウジング（２）は、照明部（３３１）を操作する操作部（２３）を有する。操作ハウジング（２）は所定方向（Ｓ）の一端部に第１支持部（６１）を有する。機能ハウジング（３）は、第１支持部（６１）にて、所定方向（Ｓ）と交差する方向に沿った第１回転軸（Ｘ）周りに回転可能な状態で、操作ハウジング（２）に支持されている。機能ハウジング（３）は、第１回転軸（Ｘ）周りで回転することで、閉位置と開位置との間を移動する。機能ハウジング（３）における第２面（３２）には、照明部（３３１）と熱的に結合される放熱部（３４）が形成されている。
【００５７】
この態様によれば、照明部（３３１）で生じる熱を放熱部（３４）で放熱することができ、放熱性のよい機能モジュール（１）を提供することができる、という利点がある。
【００５８】
第２の態様に係る機能モジュール（１）は、第１の態様において、機能ハウジング（３）は、第１回転軸（Ｘ）と交差する第２回転軸（Ｙ）周りに回転可能に設けられている。
【００５９】
この態様によれば、機能ハウジング（３）を第２回転軸（Ｙ）周りに回転することができ、操作性及び携帯性のよい機能モジュール（１）を提供することができる、という利点がある。
【００６０】
第３の態様に係る機能モジュール（１）は、第１の態様又は第２の態様において、操作ハウジング（２）の特定面（２４）に、電池パック（４）が露出した状態で取り外し可能に取り付けられる。
【００６１】
この態様によれば、電池パック（４）の取り付け及び取り外しを容易に行なうことができ、操作性及び携帯性のよい機能モジュール（１）を提供することができる、という利点がある。
【００６２】
第４の態様に係る機能モジュール（１）は、第１〜３のいずれか１つの態様において、機能ハウジング（３）が閉位置にある状態で、平面視における機能ハウジング（３）の投影面（Ｍ）内に操作ハウジング（２）が収まる。
【００６３】
この態様によれば、コンパクトで携帯性のよい機能モジュール（１）を提供することができる、という利点がある。
【００６４】
第５の態様に係る機能モジュール（１）は、第１〜４のいずれか１つの態様において、放熱部（３４）は、第２面（３２）に形成された凹凸形状（３４０）を含んでいる。
【００６５】
この態様によれば、放熱部（３４）の表面積を凹凸形状（３４０）で増加させることができ、放熱性のよい機能モジュール（１）を提供することができる、という利点がある。
【００６６】
第６の態様に係る機能モジュール（１）は、第５の態様において、凹凸形状（３４０）は、第１回転軸（Ｘ）と直交する方向に延びる直線状を含んでいる。
【００６７】
この態様によれば、放熱部（３４）において、第１回転軸（Ｘ）と直交する方向に熱を分散させることができ、放熱性のよい機能モジュール（１）を提供することができる、という利点がある。
【００６８】
第７の態様に係る機能モジュール（１）は、第１〜６のいずれか１つの態様において、機能ハウジング（３）が閉位置にある状態で、放熱部（３４）と操作ハウジング（２）との間に隙間（７）がある。
【００６９】
この態様によれば、隙間（７）を通じて放熱することができ、放熱性のよい機能モジュール（１）を提供することができる、という利点がある。
【００７０】
第８の態様に係る機能モジュール（１）は、第１〜７のいずれか１つの態様において、機能ハウジング（３）が閉位置にある状態で、放熱部（３４）と操作ハウジング（２）との間に弾性体（８）がある。
【００７１】
この態様によれば、弾性体（８）で衝撃を吸収しやすくなり、操作性及び携帯性のよい機能モジュール（１）を提供することができる、という利点がある。
【００７２】
第９の態様に係る機能モジュール（１）は、第３の態様において、操作ハウジング（２）における電池パック（４）とは反対側の面上に操作部（２３）がある。
【００７３】
この態様によれば、操作部（２３）を操作するときに、電池パック（４）が邪魔にならず、操作性のよい機能モジュール（１）を提供することができる、という利点がある。
【００７４】
第１０の態様に係る機能モジュール（１）は、第９の態様において、操作部（２３）は、操作ハウジング（２）における電池パック（４）とは反対側の面上に形成された凹所（２３１）に設けられている。
【００７５】
この態様によれば、操作部（２３）が不用意に操作されにくくなって、誤操作の少ない機能モジュール（１）を提供することができる、という利点がある。
【００７６】
第１１の態様に係る機能モジュール（１）は、第３の態様において、電池パック（４）は、電動工具に用いられる電池パックである。
【００７７】
この態様によれば、各種の電池パック（４）が利用することができ、使い勝手のよい機能モジュール（１）を提供することができる、という利点がある。
【符号の説明】
【００７８】
１  機能モジュール
２  操作ハウジング
３  機能ハウジング
４  電池パック
７  隙間
８  弾性体
２３  操作部
２４  特定面
３１  第１面
３２  第２面
３４  放熱部
３３１  照明部
３４０  凹凸形状
６１  第１支持部
Ｘ  第１回転軸
Ｙ  第２回転軸
Ｓ  所定方向
Ｍ  投影面
【図１】
2020126831.tif 000003
【図２】
2020126831.tif 000004
【図３】
2020126831.tif 000005
【図４】
2020126831.tif 000006
【図５】
2020126831.tif 000007
【図６】
2020126831.tif 000008
【図７】
2020126831.tif 000009
【図８】
2020126831.tif 000010
【図９】
2020126831.tif 000011
【図１０】
2020126831.tif 000012